(57)【要約】【課題】コネクタへの組み付け作業性が良い電線保護カバーを提供する。【解決手段】コネクタ１０に組み付けされ、コネクタ１０から引き出された電線Ｗを被う電線保護カバー１であって、電線Ｗが収容され、且つ、電線配策方向に沿って開口された電線収容路４を有するカバー本体２と、カバー本体２より電線収容路４の開口を狭める方向に向かって突出され、電線収容路４の内側への撓み変形によって電線Ｗの挿入を許容すると共に電線収容路４に収容された電線Ｗの外側への移動を阻止する電線仮保持片５と、電線収容路４の開口部４ａを閉塞すると共に、電線仮保持片５の電線収容路４の外側への撓み変形を阻止する閉塞用クリップ２０とを備える。【選択図】図９
2013243073.tif 000002
【特許請求の範囲】
【請求項１】
コネクタに組み付けされ、前記コネクタから引き出された電線を被う電線保護カバーであって、
前記電線が収容され、且つ、電線配策方向に沿って開口された電線収容路を有するカバー本体と、前記カバー本体より前記電線収容路の開口を狭める方向に向かって突出され、前記電線収容路の内側への撓み変形によって前記電線の挿入を許容すると共に前記電線収容路に収容された前記電線の外側への移動を阻止する電線仮保持片と、前記電線収容路の開口部を閉塞すると共に、前記電線仮保持片の前記電線収容路の外側への撓み変形を阻止する閉塞用クリップとを備えたことを特徴とする電線保護カバー。
【請求項２】
請求項１記載の電線保護カバーであって、
前記電線仮保持片は、前記カバー本体に一対設けられていると共に、前記閉塞用クリップには、一対の前記電線仮保持片の双方の先端部がスライド挿入する一対の係止溝が設けられたことを特徴とする電線保護カバー。
【発明の詳細な説明】
【技術分野】
【０００１】
本発明は、コネクタに組み付けされ、コネクタから引き出された電線を被う電線保護カバーに関する。
【背景技術】
【０００２】
従来より種々の電線保護カバーが提案されている（特許文献１、２参照）。電線保護カバーの中には、コネクタに組み付けされ、コネクタより引き出された電線を被うものもある（特許文献３参照）。かかる電線保護カバーの一従来例が図１３〜図１７に示されている。
【０００３】
図１０〜図１４において、電線保護カバー１００が組み付けされるコネクタ１１０は、コネクタハウジング１１１とこのコネクタハウジング１１１内に収容された複数の端子１１２とを備えている。各端子１１２には、電線Ｗがそれぞれ接続されている。これら電線Ｗがコネクタハウジング１１１の後面より引き出されている。
【０００４】
電線保護カバー１００は、コネクタハウジング１１１の後面側に組み付けされる。電線保護カバー１００は、コネクタハウジング１１１の後面を被い、且つ、電線配策方向に延びるカバー本体１０１と、カバー本体１０１の一端側に設けられたコネクタ組付部１０２とを有する。カバー本体１０１は、大略半筒形状であり、その内部に電線収容路１０４が形成されている。電線収容路１０４は、電線配策方向に沿って開口部１０４ａを有する。開口部１０４ａの開口寸法Ｄは、電線収容路１０４の最大幅と同程度に設定されている。つまり、束とされた電線Ｗの幅より広い。
【０００５】
コネクタ１１０への電線保護カバー１００の組み付けは、電線保護カバー１００の電線収容路１０４内に開口部１０４ａより電線Ｗを挿入する。電線Ｗを収容した電線保護カバー１００のコネクタ組付部１０２をコネクタハウジング１１１の後面側に嵌合すれば、組み付けが完了する。
【０００６】
前記従来例の電線保護カバー１００では、図１４に示すように、電線収容路１０４の開口部１０４ａの開口寸法Ｄが電線Ｗの幅より大きいため、容易に電線Ｗを挿入できる。
【先行技術文献】
【特許文献】
【０００７】
【特許文献１】特開昭６３−５１５１８号公報
【特許文献２】特開平８−１８２１６３号公報
【特許文献３】特開２００５−２６０４８号公報
【発明の概要】
【発明が解決しようとする課題】
【０００８】
しかしながら、前記従来の電線保護カバー１００では、図１４に示すように、電線収容路１０４の開口部１０４ａの開口寸法Ｄが束とされた電線Ｗの幅より広いため、組み付け作業過程で電線保護カバー１００が電線Ｗに対して容易に脱落する。そのため、電線保護カバー１００の組み付け作業性が悪いという問題があった。
【０００９】
そこで、本発明は、前記した課題を解決すべくなされたものであり、コネクタへの組み付け作業性が良い電線保護カバーを提供することを目的とする。
【課題を解決するための手段】
【００１０】
本発明は、コネクタに組み付けされ、コネクタから引き出された電線を被う電線保護カバーであって、前記電線が収容され、且つ、電線配策方向に沿って開口された電線収容路を有するカバー本体と、前記カバー本体より前記電線収容路の開口を狭める方向に向かって突出され、前記電線収容路の内側への撓み変形によって前記電線の挿入を許容すると共に前記電線収容路に収容された前記電線の外側への移動を阻止する電線仮保持片と、前記電線収容路の開口部を閉塞すると共に、前記電線仮保持片の前記電線収容路の外側への撓み変形を阻止する閉塞用クリップとを備えたことを特徴とする電線保護カバーである。
【００１１】
前記電線仮保持片は、前記カバー本体に一対設けられていると共に、前記閉塞用クリップには、一対の前記電線仮保持片の双方の先端部がスライド挿入する一対の係止溝が設けられることが好ましい。
【発明の効果】
【００１２】
本発明によれば、閉塞用クリップが装着された状態では、電線収容路の開口部が完全に閉塞され、且つ、電線より外側への外力が閉塞用クリップに作用しても一対の電線仮保持片が外側に向かって撓み変形できないため、電線に電線保護カバーが確実に仮保持される。従って、電線保護カバーのコネクタへの組み付け作業性が良い。
【図面の簡単な説明】
【００１３】
【図１】本発明の一実施形態を示し、組み付け前の電線保護カバーとコネクタの斜視図である。
【図２】本発明の一実施形態を示し、組み付け状態の電線保護カバーとコネクタの断面図である。
【図３】本発明の一実施形態を示し、コネクタの断面図である。
【図４】本発明の一実施形態を示し、電線が電線保護カバー内に収容された状態を示す要部斜視図である。
【図５】本発明の一実施形態を示し、電線保護カバーの斜視図である。
【図６】本発明の一実施形態を示し、（ａ）は電線保護カバーの側面図、（ｂ）は電線を電線保護カバーに収容する過程を示す側面図、（ｃ）は電線保護カバー内に収容された電線が外部に移動するのを電線仮係止片が阻止する状態を示す側面図である。
【図７】本発明の一実施形態を示し、電線を電線保護カバーに収容した状態の斜視図である。
【図８】本発明の一実施形態を示し、閉塞用クリップをカバー本体に装着する過程を示す斜視図である。
【図９】本発明の一実施形態を示し、電線収容路内の電線に押圧されても電線仮保持片が撓み変形しない状態を示す側面図である。
【図１０】従来例を示し、組み付け前の電線保護カバーとコネクタの斜視図である。
【図１１】従来例を示し、組み付け状態の電線保護カバーとコネクタの斜視図である。
【図１２】従来例を示し、組み付け状態の電線保護カバーとコネクタの断面図である。
【図１３】従来例を示し、コネクタの断面図である。
【図１４】従来例を示し、電線保護カバー内から電線が容易に外れることを説明する側面図である。
【発明を実施するための形態】
【００１４】
以下、本発明の一実施形態を図面に基づいて説明する。
【００１５】
図１〜図９は本発明の一実施形態を示す。図１〜図５において、電線保護カバー１が組み付けされるコネクタ１０は、コネクタハウジング１１と、このコネクタハウジング１１内に収容された複数の端子１２とを備えている。コネクタハウジング１１の前面には、相手コネクタ（図示せず）の嵌合口１３が開口されている。各端子１２は、嵌合口１３に臨むようにしてコネクタハウジング１１内に収容されている。各端子１２には電線Ｗの端部がそれぞれ接続されている。コネクタハウジング１１の後面側は、電線保護カバー１のコネクタ組付部３が嵌合可能に形成されている。この嵌合可能に形成された箇所には、係止爪１４が複数箇所に設けられている。複数の電線Ｗは、コネクタハウジング１１の後面側から引き出されている。コネクタハウジング１１より引き出された複数の電線Ｗには、拘束テープ１５が巻き付けられ、束ねられている。説明の便宜上、束ねられた複数の電線Ｗを単に電線Ｗとして以下説明する。
【００１６】
電線保護カバー１は、コネクタハウジング１１の後面側に組み付けされる。電線保護カバー１は、カバー本体２とカバー本体２に装着される閉塞用クリップ２０とを備えている。カバー本体２は、コネクタハウジング１１の後面を被い、その一端側にコネクタ組付部３が設けられている。
【００１７】
カバー本体２は、大略半筒形状である。カバー本体２の内部には、電線配策方向に沿って開口する電線収容路４が形成されている。カバー本体２には、左右一対の電線仮保持片５が設けられている。
【００１８】
一対の電線仮保持片５は、電線収容路４の開口を狭める方向に突出されている。これにより、電線収容路４の開口部４ａの寸法Ｄ１は、収容される電線Ｗの幅より小さく設定されている。一対の電線仮保持片５は、電線収容路４の内側に入り込む方向に傾斜している。従って、各電線仮保持片５の根本から先端に向かって徐々に電線収容路４の内側に入り込む位置とされ、電線Ｗを電線収容路４の開口部４ａに誘導するようになっている。
【００１９】
一対の電線仮保持片５は、電線収容路４の内側への撓み変形によって電線Ｗの挿入を許容すると共に、電線収容路４に収容された電線Ｗの外側への移動を阻止する。
【００２０】
各電線仮保持片５は、カバー本体２との連結箇所の外面がアール面５ａに形成されている。各電線仮保持片５は、電線配策方向の一方の端部が先端に向かって徐々に開口部４ａを広げるテーパ面５ｂに形成されている。
【００２１】
一対の電線仮保持片５の先端部で、且つ、テーパ面５ｂとは反対側の端部には、係止凹部５ｃがそれぞれ設けられている。
【００２２】
コネクタ組付部３には、係止孔６が複数箇所に設けられている。
【００２３】
閉塞用クリップ２０は、閉塞本体２１と、この閉塞本体２１の外面に突設されたつまみ部２２とを備えている。閉塞本体２１は、その長手方向の寸法が電線仮保持片５の電線配策方向と同等の寸法に設定されている。閉塞本体２１は、その幅方向の寸法が電線収容路４の開口部４ａの寸法Ｄ１より若干大きい寸法に設定されている。閉塞本体２１の両方の側面には、一対の係止溝２３が設けられている。一対の係止溝２３の一方の先端に近い位置には、係止突部２３ａがそれぞれ設けられている。閉塞用クリップ２０は、一対の係止溝２３が一対の電線仮保持片５の双方の先端部にスライド挿入されることにより、カバー本体２に装着されている。
【００２４】
次に、電線保護カバー１のコネクタ１０への組み付け作業を簡単に説明する。図６（ａ)に示すように、電線Ｗを開口部４ａより電線収容路４に挿入する。すると、図６（ｂ）に示すように、電線Ｗが一対の電線仮保持片５に当接する。この状態より更に電線Ｗを電線収容路４に挿入するべく押圧すると、一対の電線仮保持片５が電線収容路４の内側に向かって撓み変形し、電線Ｗが電線収容路４に収容される。電線収容路４に電線Ｗが収容されると、一対の電線仮保持片５が復帰変形して元の位置に戻る。これにより、一対の電線仮保持片５の間の開口部４ａの寸法Ｄ１は、電線Ｗの幅より小さくなる。これで、図７に示すように、電線保護カバー１が電線Ｗに仮係止される。
【００２５】
次に、図８に示すように、電線保護カバー１の一対の電線仮保持片５の先端部を閉塞用クリップ２０の一対の係止溝２３を位置合わせし、一対の電線仮保持片５の先端部に閉塞用クリップ２０の一対の係止溝２３にスライド挿入する。閉塞用クリップ２０が電線保護カバー１の開口部４ａを完全に塞ぐ位置までスライド挿入する。すると、係止突部２３ａが係止凹溝５ｃに入り込み、閉塞用クリップ２０が一対の電線仮保持片５に装着される。
【００２６】
最後に、コネクタ組付部３をコネクタハウジング１１の後面側に位置合わせして嵌合する。この嵌合によって複数の係止孔６と係止爪１４がそれぞれ係止される。これで、電線保護カバー１の組み付けが完了する。
【００２７】
この組み付け過程にあって、図６（ｃ）に示すように、電線保護カバー１の電線収容路４に電線Ｗが収容された状態では、一対の電線仮保持片５の間の開口部４ａの寸法Ｄ１が電線Ｗの幅より小さいため、電線保護カバー１が電線Ｗに仮係止され、電線保護カバー１が電線Ｗより容易に脱落しない。従って、コネクタ１０への組み付け作業性が良い。又、図９に示すように、一対の電線仮保持片５に閉塞用クリップ２０が装着された状態では、電線収容路４の開口部４ａが完全に閉塞され、且つ、電線Ｗより外側への外力が閉塞用クリップ２０に作用しても一対の電線仮保持片５が外側に向かって撓み変形できない。これにより、電線Ｗの脱落を確実に防止できる。
【００２８】
閉塞用クリップ２０が一対の電線仮保持片５の外側への撓み変形を阻止するため、例えば車両搭載時において電線仮保持片５が他部材に接触等することによる電線仮保持片５の破損を防止できる。
【００２９】
一対の電線仮保持片５は、カバー本体２に一対設けられていると共に、閉塞用クリップ２０には、一対の電線仮保持片５の双方の先端部がスライド挿入する一対の係止溝２３が設けられている。従って、閉塞用クリップ２０を一対の電線仮保持片５にスライドによって挿入できるため、閉塞用クリップ２０の装着作業性が良い。
【００３０】
電線仮保持片５は、カバー本体２の左右に一対設けられている。従って、電線Ｗの挿入位置が適正な位置より多少左右にずれてもいずれか一方の電線仮保持片５に突き当たり、撓み変形することによって電線Ｗの挿入が可能である。
【００３１】
一対の電線仮保持片５は、電線収容路４の内側に入り込む方向に傾斜している。従って、電線Ｗを電線保護カバー１内に挿入する際に、電線Ｗの挿入位置が開口部４ａより多少ずれても各電線仮保持片５によって開口部４ａの位置に誘導されるため、電線Ｗの挿入作業性が良い。
【００３２】
各電線仮保持片５は、カバー本体２との連結箇所の外面は、アール面５ａに形成されている。従って、電線Ｗを電線保護カバー１内に挿入する際に、電線Ｗがエッジに突き当たって損傷するような事態を極力回避できる。
【００３３】
各電線仮保持片５の電線配策方向の端部箇所は、中央より先端に向かって徐々に開口部４ａを広げる向きのテーパ面５ｂに形成されている。従って、電線仮保持片５の端部の開口部４ａより電線Ｗを先に挿入するようにすれば、電線Ｗを電線収容路４内に容易に誘い込むことができ、電線Ｗの挿入作業性が向上する。
【００３４】
電線保護カバー１の電線収容路４の開口部４ａが閉塞用クリップ２０によって閉塞される。従って、防水性、防塵性が非常に良い。高圧洗浄時においても電線Ｗ等への被水を防水できる。
【符号の説明】
【００３５】
１  電線保護カバー
２  カバー本体
４  電線収容路
５  電線仮保持片
１０  コネクタ
２０  閉塞用クリップ
２３  係止溝
Ｗ  電線
【図１】
2013243073.tif 000003
【図２】
2013243073.tif 000004
【図３】
2013243073.tif 000005
【図４】
2013243073.tif 000006
【図５】
2013243073.tif 000007
【図６】
2013243073.tif 000008
【図７】
2013243073.tif 000009
【図８】
2013243073.tif 000010
【図９】
2013243073.tif 000011
【図１０】
2013243073.tif 000012
【図１１】
2013243073.tif 000013
【図１２】
2013243073.tif 000014
【図１３】
2013243073.tif 000015
【図１４】
2013243073.tif 000016